(57)【要約】      （修正有）【課題】空気吸入口の広さに対応させて、適宜の幅のフィルタ用紙を選択的に設置できるフィルタ装置を提供する。【解決手段】制御ボックス１８の空気吸入口１９に設置するフィルタ装置１１であって、該フィルタ装置１１は、筒状の芯材１２にロール状に巻回されるフィルタ用紙１３と、前記芯材１２の両端部１２ａ、１２ａにそれぞれ支持すると共に、前記空気吸入口１９近傍の所望位置に取付け取外しが自在な一対の支持部材１４と、前記フィルタ用紙１３を前記空気吸入口１９の壁面に保持できるゴム磁石シート１５とから構成される。【選択図】図１
0003131835.tif 000002
【実用新案登録請求の範囲】
【請求項１】
制御ボックス等の空気吸入口に設置するフィルタ装置であって、
該フィルタ装置は、
筒状の芯材にロール状に巻回されるフィルタ用紙と、
前記芯材の両端部にそれぞれ支持すると共に、前記空気吸入口近傍の所望位置に取付け取外しが自在な一対の支持部材と、
前記フィルタ用紙を前記空気吸入口の壁面に保持できる磁石板と
から少なくとも構成されることを特徴とするフィルタ装置。
【請求項２】
前記フィルタ用紙は、生分解性の材料で形成された不織布であること
を特徴とする請求項１に記載のフィルタ装置。
【請求項３】
前記フィルタ用紙は、所定間隔ごとに幅方向に沿ってミシン目が形成されていること
を特徴とする請求項１に記載のフィルタ装置。
【考案の詳細な説明】
【技術分野】
【０００１】
本考案は、制御ボックス等の空気吸入口に設置するフィルタ装置に関するものであり、更に詳しくは、制御ボックス等の内部へのオイルミストの侵入を防止してベトベト汚れを回避すると共に、工場内に漂うオイルミストの低減に貢献できるフィルタ装置に関するものである。
【背景技術】
【０００２】
従来の除湿除塵フィルタとしては、次のような構成のものが知られている。この除湿除塵フィルタは、ロール状のフィルタ用紙と、このフィルタ用紙を収納する箱形状のケーシングと、フィルタ用紙を制御盤の外気取入口に取り付ける磁石板とから構成される（特許文献１参照）。
【０００３】
このような構成の除湿除塵フィルタは、ケーシングを制御盤の外気取入口の近傍に取り付け、ケーシングからフィルタ用紙を引き出して外気取入口を覆い、磁石板でフィルタ用紙を保持するものであり、制御盤の内部への湿気や粉塵の侵入を防止する。
【特許文献１】実用新案登録第３０９９６３６号公報
【考案の開示】
【考案が解決しようとする課題】
【０００４】
この従来例の除湿除塵フィルタにおいては、所定の長さに形成されたケーシングを用いるので、ケーシングに収納するフィルタ用紙の幅を適宜に変更できない。換言すれば、フィルタ用紙の幅がピッタリした状態に設置できる外気取入口は、所定寸法のものだけに限られるので、設置の自由度が制限されるという欠点を有している。
【０００５】
従って、従来例における除湿除塵フィルタにおいては、フィルタ用紙の幅を自在に変更できるようにして、種々な大きさの外気取入口に対して、対応する幅のフィルタ用紙を選択的に設置できるようにすることに解決しなければならない課題を有している。
【課題を解決するための手段】
【０００６】
前記従来例の課題を解決する具体的手段として本考案は、制御ボックス等の空気吸入口に設置するフィルタ装置であって、該フィルタ装置は、筒状の芯材にロール状に巻回されるフィルタ用紙と、前記芯材の両端部にそれぞれ支持すると共に、前記空気吸入口近傍の所望位置に取付け取外しが自在な一対の支持部材と、前記フィルタ用紙を前記空気吸入口の壁面に保持できる磁石板とから少なくとも構成されることを特徴とするフィルタ装置を提供するものである。
【０００７】
前記フィルタ用紙は、生分解性の材料で形成された不織布であること、；
前記フィルタ用紙は、所定間隔ごとに幅方向に沿ってミシン目が形成されていること、;
を含むものである。
【考案の効果】
【０００８】
本考案に係るフィルタ装置は、制御ボックス等の空気吸入口に設置するフィルタ装置であって、該フィルタ装置は、筒状の芯材にロール状に巻回されるフィルタ用紙と、前記芯材の両端部にそれぞれ支持すると共に、前記空気吸入口近傍の所望位置に取付け取外しが自在な一対の支持部材と、前記フィルタ用紙を前記空気吸入口の壁面に保持できる磁石板とから少なくとも構成されることによって、空気吸入口を覆った状態にフィルタ用紙をセットすれば、制御ボックス等の内部へのオイルミストの侵入を防止してベトベト汚れを回避できる。更に、工場内に浮遊するオイルミストの低減にも貢献できる。
また、一対の支持部材はフィルタ用紙の幅に対応させて、両者の間隔を広げたり狭めたり自在にできるので、フィルタ用紙の幅を適宜に変更して設置できることとなる。従って、様々な広さの空気吸入口に対して、対応する幅のフィルタ用紙を選択的に設置できるという種々の優れた効果を奏する。
【０００９】
また、前記フィルタ用紙は、生分解性の材料で形成された不織布であることによって、微生物により分解されるので、生ゴミとして廃棄処分ができ、環境問題が生じないという優れた効果を奏する。
【００１０】
そして、前記フィルタ用紙は、所定間隔ごとに幅方向に沿ってミシン目が形成されていることによって、フィルタ用紙のカットが容易であるという優れた効果を奏する。
【考案を実施するための最良の形態】
【００１１】
次に、本考案の実施の形態について図面を参照しながら説明する。まず、図１から図４において、符号１１はフィルタ装置を示し、このフィルタ装置１１は、筒状の芯材１２にロール状に巻回されるフィルタ用紙１３と、芯材１２の両端部１２ａ、１２ａにそれぞれ支持する一対の支持部材１４、１４と、フィルタ用紙１３を保持できるゴム磁石シート１５とから構成される。
【００１２】
フィルタ用紙１３は、図３に示すように、筒状の芯材１２に対してロール状に巻回されている。具体的には、長さ９００mmの厚紙製の芯材１２に対して、長さ１３．５ｍのフィルター用紙１３が巻回されて形成されており、それを必要に応じて所望の幅（長さ）に切断されて用いられる。
【００１３】
また、フィルタ用紙１３は、図１に示すように、所定間隔ごと、例えば２００mmピッチで幅方向に沿ってミシン目１６が形成されている。このミシン目１６の存在によって、使用済みのフィルタ用紙１３のカットが容易である。
【００１４】
そして、フィルタ用紙１３は、例えばトウモロコシを原料とする、生分解性の材料で形成された不織布である。このように生分解性の材料でフィルタ用紙１３が形成されることによって、微生物により分解できるので、廃棄時には生ゴミとして処分が可能であり、環境問題が生じない。
【００１５】
更に、フィルタ用紙１３は、従来周知の所定の方法で難燃処理が施されており、火気が引火しても燃えにくいように形成されている。
【００１６】
支持部材１４は、図４（イ）（ロ）に示すように、板状の基部１４ａと、この基部１４ａの端部に直交方向に設けられる支持板１４ｂと、この支持板１４ｂの略中央位置に設けられる円柱部１４ｃとからなり、これら基部１４ａと支持板１４ｂと円柱部１４ｃとがプラスチック等の合成樹脂製材で一体に形成されている。
【００１７】
基部１４ａの裏面には、図４（ロ）に示すように、磁石１７が嵌め込まれており、この磁石１７の存在によって、スチール製等の制御ボックス１８の壁面に対して、支持部材１４の取付け及び取外しが自在である。また、円柱部１４ｃが、芯材１２の端部１２ａに挿入されて、一対の支持部材１４、１４で芯材１２の両端部１２ａ、１２ａにそれぞれ支持している。
【００１８】
ゴム磁石シート１５は、図１及び図２に示すように、長尺に形成されており、望ましくはフィルタ用紙１３の幅よりも長めに形成される。そして、ゴム磁石シート１５で、空気吸入口１９を覆った状態のフィルタ用紙１３の両端部を制御ボックス１８の壁面に吸着させる。
【００１９】
次に、以上のような構成のフィルタ装置１１の設置方法について説明する。まず、一対の支持部材１４、１４をフィルタ用紙１３を支持した状態で、制御ボックス１８の空気吸入口１９の近傍に取り付ける（図１及び図２参照）。この場合、一対の支持部材１４、１４は、両者の間隔を広げたり狭めたり自在にできるので、空気吸入口１９の広さに対応させて、適宜の幅のフィルタ用紙１３を選択的に設置できるのである。
【００２０】
そして、フィルタ用紙１３を引き出して空気吸入口１９を覆い、ゴム磁石シート１５でフィルタ用紙１３の両端部又は四辺を保持する（図１及び図２参照）。このように、空気吸入口１９を覆った状態にフィルタ用紙１３をセットすることで、制御ボックス１８の内部へのオイルミストの侵入を防止してベトベト汚れを回避できると共に、工場内に浮遊するオイルミストの低減にも貢献できることとなる。
【産業上の利用可能性】
【００２１】
本考案のフィルタ装置は、制御ボックスの空気吸入口への設置に適するが、これ以外にも例えば、モータ、空調機器、換気扇等のように空気の吸入口が設けられる様々な機器類に対しても応用して設置することが可能である。
【図面の簡単な説明】
【００２２】
【図１】制御ボックス１８の空気吸入口１９に設置したフィルタ装置１１の斜視図である。
【図２】空気吸入口１９に設置したフィルタ装置１１の正面図である。
【図３】フィルタ用紙１３の斜視図である。
【図４】（イ）（ロ）支持部材１４の斜視図である。
【符号の説明】
【００２３】
１１  フィルタ装置
１２  芯材
１２ａ端部
１３  フィルタ用紙
１４  支持部材
１４ａ基部
１４ｂ支持板
１４ｃ円柱部
１５  ゴム磁石シート（磁石板）
１６  ミシン目
１７  磁石
１８  制御ボックス
１９  空気吸入口
【図１】
0003131835.tif 000003
【図２】
0003131835.tif 000004
【図３】
0003131835.tif 000005
【図４】
0003131835.tif 000006